(57)【要約】【課題】軸受を内部と外部で温度差を発生させることなく効率よく確実に冷却することができるポンプの軸受構造を提供すること。【解決手段】ポンプ本体のポンプケース１に、軸受箱２を取付フランジ３を介して取り付けるとともに、軸受箱２の外周部に、冷却水を流通させる冷却ジャケット４を配設し、取付フランジ３の内部に冷却水が循環する通水路５を形成し、通水路５の入り口５ａを冷却ジャケット４の入り口４ａ側に連通させるとともに、通水路５の出口５ｂを冷却ジャケット４の出口４ｂ側に連通させる。【選択図】図１
2005220827.tif 000002
【特許請求の範囲】
【請求項１】
ポンプケースに軸受箱を取付フランジを介して取り付けるとともに、軸受箱の外周部に、冷却水を流通させる冷却ジャケットを配設したポンプの軸受構造において、前記取付フランジの内部に冷却水が循環する通水路を形成し、該通水路の入り口を冷却ジャケットの入り口側に連通させるとともに、通水路の出口を冷却ジャケットの出口側に連通させたことを特徴とするポンプの軸受構造。
【発明の詳細な説明】
【技術分野】
【０００１】
本発明は、ポンプの軸受構造に関し、特に、軸受を内部と外部で温度差を発生させることなく効率よく確実に冷却することができるポンプの軸受構造に関するものである。
【背景技術】
【０００２】
例えば、図３〜図４に示すように、１５０℃程度以上の高温液を取り扱うポンプにおいては、主として、高温のポンプケース１より取付フランジ３を経て軸受箱２に伝わる熱によって、回転軸８を支持する軸受６を収容した軸受箱２の温度が上昇する。
軸受箱２の温度上昇は、軸受箱２内にある軸受潤滑油７の粘度低下を起こし、軸受６の損傷に到るため、軸受箱２を通常８０℃程度以下になるよう冷却する必要がある。
このため、従来は、軸受箱２の下部あるいは全外周部に冷却用のジャッケット４を設け、この冷却ジャケット４に冷却水を流通させることにより軸受箱２を冷却している。
【０００３】
しかしながら、上記従来のポンプの軸受構造では、ポンプ本体から伝わった熱を軸受箱２の外部から冷却するようにしているため、軸受６の内部６ａと外部６ｂで温度差が生じることになり、軸受６の内部が外部より温度が高くなって軸受部のクリアランスを減少させ、軸受６の損傷を招きやすいという問題があった。
【発明の開示】
【発明が解決しようとする課題】
【０００４】
本発明は、上記従来のポンプの軸受構造が有する問題点に鑑み、軸受を内部と外部で温度差を発生させることなく効率よく確実に冷却することができるポンプの軸受構造を提供することを目的とする。
【課題を解決するための手段】
【０００５】
上記目的を達成するため、本発明のポンプの軸受構造は、ポンプケースに軸受箱を取付フランジを介して取り付けるとともに、軸受箱の外周部に、冷却水を流通させる冷却ジャケットを配設したポンプの軸受構造において、前記取付フランジの内部に冷却水が循環する通水路を形成し、該通水路の入り口を冷却ジャケットの入り口側に連通させるとともに、通水路の出口を冷却ジャケットの出口側に連通させたことを特徴とする。
【発明の効果】
【０００６】
本発明のポンプの軸受構造によれば、ポンプケースに軸受箱を取付フランジを介して取り付けるとともに、軸受箱の外周部に、冷却水を流通させる冷却ジャケットを配設したポンプの軸受構造において、前記取付フランジの内部に冷却水が循環する通水路を形成し、該通水路の入り口を冷却ジャケットの入り口側に連通させるとともに、通水路の出口を冷却ジャケットの出口側に連通させることから、既存の冷却ジャケットを利用して、その冷却水を取付フランジの通水路に循環させることができ、これにより、ポンプケースから軸受箱への伝熱を防止し、軸受を内部と外部で温度差が生じにくい状態で効率よく確実に冷却することができる。
【発明を実施するための最良の形態】
【０００７】
以下、本発明のポンプの軸受構造の実施の形態を図面に基づいて説明する。
【実施例１】
【０００８】
図１〜図２に、本発明のポンプの軸受構造の一実施例を示す。
このポンプの軸受構造は、ポンプ本体のポンプケース１に、軸受箱２を取付フランジ３を介して取り付けるとともに、軸受箱２の外周部に、冷却水を流通させる冷却ジャケット４を配設している。
そして、このポンプの軸受構造は、前記取付フランジ３の内部に冷却水が循環する通水路５を形成し、該通水路５の入り口５ａを冷却ジャケット４の入り口４ａ側に連通させるとともに、通水路５の出口５ｂを冷却ジャケット４の出口４ｂ側に連通させている。
【０００９】
冷却ジャケット４は、軸受箱２の外周の一部に冷却水を通水させる冷却室４１を配設するものであり、本実施例では、この冷却ジャケット４の冷却室４１を仕切壁４２により冷却水の入り口４ａ側と出口４ｂ側とに仕切っている。
【００１０】
取付フランジ３の通水路５は、本実施例においては、内外周の２重に形成し、冷却ジャケット４の入り口側冷却室４ａから取付フランジ３に入り、取付フランジ３の内周側を半周したのち外周側を一周し、再び内周側を半周して冷却ジャケット４の出口側冷却室４ｂに戻るように構成している。
なお、取付フランジ３の通水路５は、特に限定されるものではないが、例えば、ポンプケース１との接合面側から、機械加工により溝を形成し、通水路５を仕切る箇所で小さな駒を溶接で取り付けるとともに、内外周の通水路５を外周部からドリルで孔をあけて連結し、開口部を溶接プラグで蓋をし、最後にリング状の蓋をして全周を溶接することにより形成するようにしたり、通水路５を開口した溝で構成し、ポンプケース１との接合面にガスケットを挟んでシールすることにより形成することができる。
【００１１】
これにより、高温のポンプケース１から軸受箱２への熱の伝わり部を冷却することで効率的な冷却を行い、軸受６の内部６ａと外部６ｂの温度差を生じにくくしている。
また、従来の冷却ジャケット４を利用し、その冷却水の入り口４ａや出口４ｂの取り合いを変えることなく、冷却室４１を入り口４ａ側と出口４ｂ側との間で仕切り、冷却水を取付フランジ３の通水路５に導くことにより、取付フランジ３に通水し冷却して軸受の冷却を確実にすることができる。
【００１２】
かくして、本実施例のポンプの軸受構造は、ポンプケース１に軸受箱２を取付フランジ３を介して取り付けるとともに、軸受箱２の外周部に、冷却水を流通させる冷却ジャケット４を配設したポンプの軸受構造において、前記取付フランジ３の内部に冷却水が循環する通水路５を形成し、該通水路５の入り口５ａを冷却ジャケット４の入り口４ａ側に連通させるとともに、通水路５の出口５ｂを冷却ジャケット４の出口４ｂ側に連通させることから、既存の冷却ジャケット４を利用して、その冷却水を取付フランジ３の通水路５に循環させることができ、これにより、ポンプケース１から軸受箱２への伝熱を防止し、軸受６を内部６ａと外部６ｂで温度差が生じにくい状態で効率よく確実に冷却することができる。
【００１３】
以上、本発明のポンプの軸受構造について、その実施例に基づいて説明したが、本発明は上記実施例に記載した構成に限定されるものではなく、実施例に記載した構成を適宜組み合わせる等、その趣旨を逸脱しない範囲において適宜その構成を変更することができるものである。
【産業上の利用可能性】
【００１４】
本発明のポンプの軸受構造は、軸受を内部と外部で温度差を発生させることなく効率よく確実に冷却するという特性を有していることから、特に、高温の流体を取り扱うポンプの軸受構造の用途に好適に用いることができる。
【図面の簡単な説明】
【００１５】
【図１】本発明のポンプの軸受構造の一実施例を示す断面図である。
【図２】（ａ）は図１のＡ−Ａ線断面図、（ｂ）は同Ｂ−Ｂ線断面図である。
【図３】従来のポンプの全体構造を示す断面図である。
【図４】同軸受構造を示す断面図である。
【符号の説明】
【００１６】
１    ポンプケース
２    軸受箱
３    取付フランジ
４    冷却ジャケット
４１  冷却室
４２  仕切壁
４ａ  入り口
４ｂ  出口
５    通水路
５ａ  入り口
５ｂ  出口
６    軸受
６ａ  内部
６ｂ  外部
７    軸受潤滑油
８    回転軸
【図１】
2005220827.tif 000003
【図２】
2005220827.tif 000004
【図３】
2005220827.tif 000005
【図４】
2005220827.tif 000006